(57)【要約】【課題】ペーパータオルディスペンサーに取付けてペーパータオルディスペンサーが想定する規格と異なる規格の大きさのペーパータオルをスムーズに取り出せるようにする。【解決手段】  ペーパータオルディスペンサーをより小サイズのペーパータオルの束に対応させるためのペーパータオルディスペンサー用アタッチメントであって、一枚の板状材からなり、取り付け時においてペーパータオルディスペンサーの幅方向に延在する細長部分を有する開口と、前記細長部分を挟んで奥行方向に一対以上形成され、開口の細長部分の延在方向に沿って延在する、アタッチメントを塑性変形させるための易折り曲げ線と、を有し、前記開口の細長部分を最下端に位置するように前記易折り曲げ線で折り曲げ、この易折り曲げ線から奥行方向に傾斜する傾斜面が形成された状態で、ペーパータオルディスペンサー内下部に取り付けられる、ペーパータオルディスペンサー用アタッチメントにより解決される。【選択図】図１
2019080842.tif 000002
【特許請求の範囲】
【請求項１】
ペーパータオルディスペンサーをより小サイズのペーパータオルの束に対応させるためのペーパータオルディスペンサー用アタッチメントであって、
一枚の板状材からなり、
取り付け時においてペーパータオルディスペンサーの幅方向に延在する細長部分を有する開口と、前記細長部分を挟んで奥行方向に一対以上形成され、開口の細長部分の延在方向に沿って延在する、アタッチメントを塑性変形させるための易折り曲げ線と、を有し、
前記開口の細長部分を最下端に位置するように前記易折り曲げ線で折り曲げ、この易折り曲げ線から奥行方向に傾斜する傾斜面が形成された状態で、ペーパータオルディスペンサー内下部に取り付けられる、ことを特徴とするペーパータオルディスペンサー用アタッチメント。
【請求項２】
前記開口の細長部分は、ペーパータオルディスペンサーの取出口の幅方向に延在する細長部分よりも奥行方向が狭い、請求項１に記載のペーパータオルディスペンサー用アタッチメント。
【請求項３】
前記開口は、取り付け時においてペーパータオルディスペンサーの幅方向の中央部となる位置に、奥行き方向に向かう凹部を有する、請求項１又は２記載のペーパータオルディスペンサー用アタッチメント。
【発明の詳細な説明】
【技術分野】
【０００１】
本発明は、ペーパータオルディスペンサー用アタッチメントに関する。さらに、詳しくは、ペーパータオルディスペンサーに取付けて異なる規格の大きさのペーパータオルに対応させるためのペーパータオルディスペンサー用アタッチメントに関する。
【背景技術】
【０００２】
複数枚のペーパータオルを折り畳み積層してなるペーパータオルの束を、交換可能に内部に収め、取出口から一枚ずつ引き出すようにするペーパータオルディスペンサーは良く知られる。この種のペーパータオルディスペンサーの構造は、図４〜７に示す構造が代表される。すなわち、係るペーパータオルディスペンサー１０１は、ディスペンサーの蓋部を兼ねる前板部１１１と、ペーパータオルの束１０２が実質的に載置され前後方向中央部において幅方向に延在する細長の取出口１１０が形成されている底板部１１３と、前記前板部１１１と対面して位置される背板部１１２の三つの要素を有する。背板部１１２と底板部１１３とは一体に形成されるものもある。
【０００３】
また、この種のペーパータオルディスペンサー１０１は、ペーパータオルが手洗い後に手拭き用に用いられることが多く、手洗い後の水が落下して取出口１１０から侵入し内部の束を汚染しないようにするために、また、洗面所や化粧室等の比較的狭小な空間に設置することが求められることなどから、取出口１１０を底面に形成し、その取出口１１０を下方に向けて前記背板部１１２を介して壁面設置されることが多い。
【０００４】
ところで、ペーパータオルのサイズは、複数種存在する。例えば、大判、中判、小判やＳ，Ｍ、Ｌサイズや小サイズ、中サイズ、大サイズなど製造業者において呼び方や、それら種別毎の大きさに若干の差はあるものの、概ね３規格程度の大きさに分けられている。近年、ペーパータオルの紙質の向上による吸水性等の機能向上が図られ、またエコ意識の高まりやごみ削減の観点などから、例えば大判や中判といった紙面の大きいペーパータオルを使用していた消費者が、小判等のより紙面の小さいペーパータオルへ移行するようになってきており、その消費量が増加している。
【０００５】
一方、従来のペーパータオルディスペンサー１０１は、例えば、大判用、中判用、小判用など想定するペーパータオルの大きさに合わせて、それ専用に作られたものが多くあり、これら従来のペーパータオルディスペンサー１０１では、想定するペーパータオルの係る束の大きさに適してペーパータオルの束１０２からペーパータオルを引き出し易くしている。例えば、図６に示すように、取出口１１０を有する底板部１１３の形状が、中判や中サイズと称されるペーパータオルの束１０２の底面の大きさ（概ね短辺１１５〜１２５ｍｍ×長辺２１０〜２３０ｍｍ）に応じて予め成形する等されており、引き出し時にペーパータオルの束１０２の底部分が取出口１１０へ過度に集積しないようにしてペーパータオル１０１Ｓを引き出しやすくしている（なお、大判等の束の底の大きさも例示すると、概ね短辺１１５〜１２５ｍｍ×長辺２４０〜２６０ｍｍである）。
【０００６】
しかしながら、図７に示すように、このような中判などの大きさに合わせられたペーパータオルディスペンサー１０１において、底面の大きさが小さい（概ね短辺８０〜１００ｍｍ×長辺２１０〜２３０ｍｍ）小判や小サイズと称されるペーパータオルの束１０２ｘを使用すると、ペーパータオルの束１０２ｘの底部が取出口１１０に密集して、ペーパータオルの取出し抵抗が過度に高まり、ペーパータオルが破れるなどの問題が発生する。また、特に束を構成するペーパータオルの枚数が少なくなった際に、開口から複数枚が一度に落下してしまう問題が発生する。
【０００７】
このように、従来、大判、中判等の紙面の大きいペーパータオルを使用していた消費者が小判等の紙面の小さいペーパータオルへ移行しようとするとペーパータオルディスペンサーそのものを新たに購入して設置替えする必要があり、コストや手間の負担がある。また、それが紙面の大きいペーパータオルからより紙面の小さいペーパータオルへの移行の障害となることもある。
【０００８】
他方で、ペーパータオルのサイズを変更するためのものではないが、下記特許文献１には、ディスペンサー内に弾性変形させて設置して、ペーパータオルの引き出し性を高める板状のアタッチメントが開示される。
【０００９】
この特許文献１記載のアタッチメントは、弾性変形させて設置するものであるため、設置するディスペンサーの形状によってサイズの変更に対応できないという問題がある。さらに、ディスペンサーの形状によって必然的に弾性変形後の形状が定まるため、ペーパータオルの紙質の相違による細かな形状変更ができずスムーズな取り出し性能が十分に発揮されないことがあった。また、弾性変形させた状態を維持可能な内部形状のディスペンサーにしか取り付けることができないという問題があった。さらに、ディスペンサーによっては取り付け時にアタッチメントの取出口がディスペンサーの取出口と一致しないため効果が十分に発揮できないことがあるという問題があった。
【先行技術文献】
【特許文献】
【００１０】
【特許文献１】特開２０１６−０３０１９２号
【特許文献２】特許第４２２８０８３号
【特許文献３】特許第４１８０３３４号
【特許文献４】特許第４６１５５５０号
【特許文献５】特許第５５７９５１９号
【特許文献６】特許第５３０１８２４号
【特許文献７】特許第４８４７６２６号
【発明の概要】
【発明が解決しようとする課題】
【００１１】
そこで、本発明の主たる課題は、ペーパータオルディスペンサーを買い換えることなく、より紙面の小さいペーパータオルをスムーズに取り出せるようにすることができ、しかも、ディスペンサーの種類によらず取り付けることができる、ペーパータオルディスペンサー用アタッチメントを提供することにある。
【課題を解決するための手段】
【００１２】
上記課題を解決した本発明は以下のとおりである。
【００１３】
〔請求項１記載の発明〕
ペーパータオルディスペンサーをより小サイズのペーパータオルの束に対応させるためのペーパータオルディスペンサー用アタッチメントであって、
一枚の板状材からなり、
取り付け時においてペーパータオルディスペンサーの幅方向に延在する細長部分を有する開口と、前記細長部分を挟んで奥行方向に一対以上形成され、開口の細長部分の延在方向に沿って延在する、アタッチメントを塑性変形させるための易折り曲げ線と、を有し、
前記開口の細長部分を最下端に位置するように前記易折り曲げ線で折り曲げ、この易折り曲げ線から奥行方向に傾斜する傾斜面が形成された状態で、ペーパータオルディスペンサー内下部に取り付けられる、ことを特徴とするペーパータオルディスペンサー用アタッチメント。
【００１４】
〔請求項２記載の発明〕
前記開口の細長部分は、ペーパータオルディスペンサーの取出口の幅方向に延在する細長部分よりも奥行方向が狭い、請求項１に記載のペーパータオルディスペンサー用アタッチメント。
【００１５】
〔請求項３記載の発明〕
前記開口は、取り付け時においてペーパータオルディスペンサーの幅方向の中央部となる位置に、奥行き方向に向かう凹部を有する、請求項１又は２記載のペーパータオルディスペンサー用アタッチメント。
【発明の効果】
【００１６】
以上の本発明によれば、ペーパータオルディスペンサーを買い換えることなく、より紙面の小さいペーパータオルをスムーズに取り出せるようにすることができ、しかも、ペーパータオルディスペンサーの種類によらず取り付けることができる、ペーパータオルディスペンサー用アタッチメントが提供される。
【図面の簡単な説明】
【００１７】
【図１】本発明に係るペーパータオルディスペンサー用アタッチメントの平面図である。
【図２】本発明に係るペーパータオルディスペンサー用アタッチメントの使用時の側面図である。
【図３】本発明に係るペーパータオルディスペンサー用アタッチメントをペーパータオルディスペンサーに取付けた状態を示す断面図である。
【図４】従来例のペーパータオルディスペンサーの正面図である。
【図５】従来例のペーパータオルディスペンサーの側面図である。
【図６】従来の中判用のペーパータオルディスペンサーに中判のペーパータオルの束を収めて使用する態様を説明するための断面図である。
【図７】従来の中判用のペーパータオルディスペンサーにより小さいサイズの小判のペーパータオルの束を収めて使用した際の態様を説明するための断面図である。
【発明を実施するための形態】
【００１８】
次いで、本発明の実施の形態を図１〜３を参照しながら以下に詳述する。
【００１９】
本実施形態に係るペーパータオルディスペンサー用アタッチメント（以下、単にアタッチメントと称する）２０は、ペーパータオルディスペンサー１の内下部に取り付けられるもので、本来そのペーパータオルディスペンサー１が想定する大きさのペーパータオルよりも、より小さいサイズのペーパータオルを使用しても最後までスムーズに引き出せるようにするアタッチメントである。具体的には、大判、中判や大サイズ、中サイズ等と称される比較的紙面の大きいペーパータオル用のペーパータオルディスペンサー１に、それよりも紙面の小さい小判あるいは小サイズ等と称されるペーパータオルを用いても最後までスムーズに引き出せるようにするためのアタッチメントである。なお、ペーパータオルは、１プライであっても２プライ以上で一組であってもよい。
【００２０】
実施形態に係るこのアタッチメント２０は、折り曲げ成形可能な一枚の板状材を折曲げて形成される。アタッチメント２０の折り曲げ前の外縁形状は、必ずしも限定されるものではないが、概ね矩形であるのが望ましく、幅方向の長さは取り付けるペーパータオルディスペンサー内の幅方向の長さより短い。奥行き方向の長さは取り付けるペーパータオルディスペンサー内の奥行方向の長さより長くても短くてもよいが、長いほうが後述する角度調整がしやすいため望ましい。
【００２１】
アタッチメント２０は、人の手によって折り曲げ可能な程度な強度であるのが望ましく、折り曲げによって塑性変形されるとともに、その変形後の形状が保持できるものである。また、アタッチメント２０の少なくとも束に接触する面は、平滑であるのが望ましい。また、アタッチメント２０は、可撓性を有していてもよい。アタッチメント２０の素材の具体例としては、例えば、ポリプロピレン、ポリカーボネート、ポリ塩化ビニル等の樹脂製板材、段ボール紙、坪量２５０〜５００ｇ／ｍ2程度のコートボール紙等が挙げられる。中でも、コスト、折曲げ成形性、組立て後の強度や可撓性の観点から厚さ０．５〜１．０ｍｍのポリプロピレン樹脂製の板材が特に適する。
【００２２】
このアタッチメント２０は、ペーパータオルディスペンサー１に取り付けた際にペーパータオルディスペンサーの幅方向に延在する細長部分３１を有する開口３０を有する。この開口３０は、取り付け時にペーパータオルディスペンサー１の底部に形成された取出口１０の上部に位置し、サイズ変更されたペーパータオルは、この細長部分３１を通って、ディスペンサー１の取出口１０から排紙される。ゆえに、この開口３０における前記細長部分３１の形状は、サイズ変更後のペーパータオルの束２の底面形状によって適宜に設計する。この細長部分３１が、ペーパータオルディスペンサー１の取出口１０の幅方向に延在する細長部分よりも奥行方向が狭い場合には、この細長部分が、サイズ変更されたペーパータオルの実質的な取出部となる。この場合、小判、小サイズ、Ｓサイズ等と称されるペーパータオルの束２の底面の短辺の長さＬ１が８７ｍｍ程度であることから、これらの場合には、細長部分３１の開口幅Ｌ２、１５〜２０ｍｍとするのが望ましい。なお、幅方向の長さは、１８０〜２１０ｍｍとすればよい。
【００２３】
また、図示のアタッチメント２０の開口３０は、取り付け時においてペーパータオルディスペンサー１の幅方向の中央部となる位置に、奥行き方向に向かう凹部３２を有する。この凹部３２は、ペーパータオルディスペンサー取り付け時に奥行方向手前側となる側に形成するのがよい。この凹部３２があることで、ペーパータオルディスペンサー１に取り付けた際に、ペーパータオルの束２を摘みやすくなる。凹部３２の広さ等は、ペーパータオルの束２の大きさ等によって適宜に設計すればよい。
【００２４】
他方、このアタッチメント２０は、アタッチメント２０を塑性変形させるための易折り曲げ線４０Ａ，４０Ｂ，４１，４２を有する。この易折り曲げ線４０Ａ，４０Ｂ，４１，４２は、前記細長部分３１を挟んで奥行方向に一対以上形成される。また、この細長部分３１の延在方向に沿って直線状に延在する。図示の形態では、易折り曲げ線４０Ａ，４０Ｂ，４１，４２は、細長部分より奥行側に１本、手前側に３本有している。なお、前記凹部３２により分断されるものを１本として数える。
【００２５】
易折り曲げ線４０Ａ，４０Ｂ，４１，４２は、例えば、折り筋、ハーフカット線、圧搾線、ミシン目線等の当該線に沿って折り曲げ易くする公知の構成を採用できる。素材自体が折り曲げやすいものであれば、単なる印刷により付された線であってもよい。素材が、樹脂製板である場合には、圧搾線が好適である。
【００２６】
このアタッチメント２０は、図２及び図３に示すように、前記開口３０の細長部分３１を最下端に位置するように前記易折り曲げ線４０Ａ，４０Ｂ，４１，４２で折り曲げ、この易折り曲げ線４０Ａ，４０Ｂ，４１，４２から奥行方向に傾斜する傾斜面が形成された状態で、ペーパータオルディスペンサー内下部に取り付けられる。より具体的な取り付け態様は適宜によるが、例えば、ペーパータオルディスペンサー１のペーパータオルの束２が載置される底板部１３の上に載置し、適宜の箇所で接着剤や接着テープによって固定するなどして、取り付けられる。
【００２７】
折り曲げた際の角度は、１０〜７０°であるのが望ましい。すなわち、板状材及び易折り曲げ線は、１０〜７０°の角度付けで塑性変形可能なものであるのが望ましい。
【００２８】
ここで、このアタッチメント２０における細長部分３１に最も近い一対の易折り曲げ線４０Ａ，４０Ｂの間の長さＬ３は、サイズ変更後のペーパータオルの束２の底面における奥行方向の長さに応じて適宜に設計すればよいが、少なくとも束の奥行方向の長さよりも短い長さとするのが望ましい。一対の易折り曲げ線４０Ａ，４０Ｂの間にペーパータオルの束２の底面がすべて載り全面が接触すると、アタッチメント２０による引き出し性の向上が発現しない場合がある。好適には、束の底面における奥行方向の長さの５０〜８０％の長さとするのがよい。この長さであると、易折り曲げ線４０Ａ，４０Ｂで曲げた上で、折り曲げ方向から束を載せると、束が適度に撓む形状となり、引き出し性が高まる。なお、小判、小サイズ、Ｓサイズ等と称されるペーパータオルの束２の底面の短辺の長さＬ１が８７ｍｍ程度であることから、これらの場合には、一対の易折り曲げ線４０Ａ，４０Ｂの間の長さは４４〜７０ｍｍとするのが望ましい。なお、細長部分３１と前記一対の易折り曲げ線４０Ａ，４０Ｂとの間の長さは、概ね、細長部分３１が一対の易折り曲げ線４０Ａ，４０Ｂの間の中央部に位置するようにすればよい。また、一対の易折り曲げ線４０Ａ，４０Ｂの折り曲げによる角度Ｘは、１３０〜１８０°であるのが望ましい。束最下部のペーパータオルが傾斜面に滑りやすくなる。
【００２９】
アタッチメントにおける易折り曲げ線の数は必ずしも限定されないが、一般的なディスペンサーの大きさ等からして、一対２本に加えてさらに４本の合計６本程度が上限である。６本以上になると意図した角度での折り曲げが難しくなる、線の選択が煩雑になるなどの問題が生ずる。
【００３０】
他方で、アタッチメント２０における易折り曲げ線は、図示の形態のとおり、上記細長部分３１に近い一対の易折り曲げ線４０Ａ，４０Ｂに加えて、細長部分３１の奥行側方向の何れかの側にさらに２〜３本（図中は２本、符号４１，４２）有するのが望ましい。このような形態で計４〜５本の易折り曲げ線４０Ａ，４０Ｂ，４１，４２を有するアタッチメント２０では、次のような形状変形が可能となるとともに作用効果を奏する。すなわち、細長部分３１に近い一対の易折り曲げ線４０Ａ，４０Ｂにおける折り曲げ及び角度付けによってペーパータオルの束２の撓みを形成して引き出し性を向上させるようにすることができる。さらに、他の２〜３本の易折り曲げ線４１，４２の角度付けによって、アタッチメント２０の絶対的な奥行方向の長さＬ４を調整及び決定することができ、異なる内部奥行幅のペーパータオルディスペンサーに取り付けることが可能となる。さらに、他の２〜３本の易折り曲げ線４１，４２角度付けによって開口の細長部分３１をペーパータオルディスペンサー取出口１０の直上に位置させることができる。そして、特に細長部分３１に近い一対の易折り曲げ線４０Ａ，４０Ｂ以外の他の２〜３本の易折り曲げ線４１，４２が、細長部分３１の奥行側方向の何れかの側にあることで、取り付け性及び使用性が高まる。ペーパータオルディスペンサー１は、壁掛けで使用されるため、前板部が引き下げ式又は引き上げ式に開いて内部に束を追加できるようになっている。特に、前板部１１を開いた状態で底板部上に束が載置できるようになっている。したがって、一対の易折り曲げ線以外の他の２〜３本の易折り曲げ線が細長部分の奥行側方向にあると、当該他の２〜３本の易折り曲げ線の調整角度が、背板部１２又は前板部１１との関係で定めることが可能となるため、取出口に対する開口の位置を適切な位置に留めることができる。
【００３１】
以上のとおり本発明に係るアタッチメント２０は、ペーパータオルディスペンサー１を買い換えることなく、より紙面の小さいペーパータオルをスムーズに取り出せるようにすることができ、しかも、ディスペンサーの種類によらず取り付けることができる。
【実施例】
【００３２】
本発明のアタッチメントの実施例として、厚さ０．７ｍｍのポリプロピレンの板に図１に示す形状の開口及び易折り曲げ線を形成したアタッチメント２０を作製した。アタッチメント２０は、細長部分の開口幅Ｌ２が１５ｍｍのものと１９ｍｍのものと二種を作製した。細長部分の幅方向の長さは、１５ｍｍのものは１８２ｍｍ、１９ｍｍのものは１８８ｍｍとした。なお開口の細長部分に近い一対の易折り曲げ線の間の長さＬ３は６０ｍｍである。
【００３３】
このアタッチメント２０をＡ〜Ｄ社製の異なる中判サイズ用のペーパータオルディスペンサーに取り付け、小判サイズのペーパータオルの束の引き出し性を確認した。アタッチメントの取り付けについては、開口の細長部分が、ペーパータオルディスペンサーの取出口の直上になるように易折り曲げ線で折り曲げて取り付けた。なお、各社に取り付けたアタッチメント２０は、易折り曲げ線における角度付け以外はすべて同一の構成である。
【００３４】
引き出し性は、シート落下とシート破れについて確認した。なお、引き出し性に用いたペーパータオルはシート落下が発生しやすい２プライ一組品とした。このシート落下は、引き出しの際に意図せず取り出し口からペーパータオルが落下した組数をカウントし、シート破れは引き出し時に高い抵抗がかかりペーパータオルの一部が破れることがあった組数を確認した。なお、ペーパータオルの落下は、特に束を構成する組数が少なくなった際に同時に落下した組数もカウントする。
【００３５】
また、シート落下は２００組の束を一つ用いて検証し、シート破れは、２００組の束を三つ用いて検証した。なお、ペーパータオルは、坪量が１６ｇ／ｍ2の２プライ一組品（エリエールペーパータオル スマートタイプダブル小判  ２００組（４００枚））、１８ｇ／ｍ2の２プライ一組品（エルヴェールペーパータオル エコダブル小判  ２００組（４００枚））の二種で行った。表１では、１６ｇ／ｍ2の２プライ一組品をＡ、１８ｇ／ｍ2の２プライ一組品をＢと記載した。
【００３６】
また、検証のためアタッチメントを取り付けない場合についても試験した。結果は、下記表１のとおりである。
【００３７】
【表１】
2019080842.tif 000003
【００３８】
評価の結果、アタッチメントは同一形状のものであっても異なるペーパータオルディスペンサーに対応可能であり、アタッチメントを取り付けることで、シート落下については各段に改善された。シート破れについては、細長部分の開口幅Ｌ２が１５ｍｍ寸法のアタッチメントで一部、アタッチメント無しよりも破れた枚数が多いものがあったが一般的な使用の範囲では十分である。また細長部分の開口幅Ｌ２が１９ｍｍ寸法のものでは十分に改善されている。
【００３９】
なお、本発明は上記の実施形態に限定されるものではなく、本発明の範囲内で種々変更が可能である。
【符号の説明】
【００４０】
１，１０１…ペーパータオルディスペンサー、２，１０２，１０２ｘ…ペーパータオルの束、１１，１１１…前板部、１２，１１２…背板部、１３，１１３…底板部、１０，１１０…取出口、２０…アタッチメント、３０…開口、３１…細長部分、３２…凹部、Ｌ１…ペーパータオルの束の底の短辺方向の長さ、Ｌ２…細長部分の開口幅、Ｌ３…細長部分に最も近い一対の易折り曲げ線の間の長さ、Ｌ４…アタッチメントの奥行方向長さ，Ｘ…易折り曲げ線による角度。
【図１】
2019080842.tif 000004
【図２】
2019080842.tif 000005
【図３】
2019080842.tif 000006
【図４】
2019080842.tif 000007
【図５】
2019080842.tif 000008
【図６】
2019080842.tif 000009
【図７】
2019080842.tif 000010